(57)【要約】【課題】ストラップの断面寸法によらず安定した挟持力を確保する。【解決手段】台座４の表面に、一対の段差状突起１９および棘状突起２０を設ける。また、保持板８の内面の両端に、一対の棘状突起２１を設ける。段差状突起１９は、ストラップ３の挟持範囲の両端部近傍に設けられ、ストラップ３の幅方向を横切るように突出している。棘状突起２０は、ストラップ３の挟持範囲の中央部に設けられ、台座４の射出成形時に形成されたゲート跡からなる。ストラップ３は、段差状突起１９および棘状突起２０、２１によりその挟持方向に屈曲して挟持される。【選択図】　　　　図３
2004037532.tif 000002
【特許請求の範囲】
【請求項１】
付属品本体に保持板を回動自在に軸着し、前記保持板に一体で設けたフック爪を、前記付属品本体に設けた係止部に係合させ、機器本体に連結されたストラップを付属品本体と保持板との間で挟持することにより、ストラップに付属品が固定されるようにした付属品取り付け装置において、
前記付属品本体の表面、または保持板の内面のうち少なくともいずれかに、ストラップをその挟持方向に屈曲させる複数の突起を設けたことを特徴とする付属品取り付け装置。
【請求項２】
前記複数の突起は、付属品本体の表面、または保持板の内面のうちいずれか一方の、ストラップの挟持範囲の両端部近傍に設けられ、ストラップの幅方向を横切るように突出した段差状突起と、この段差状突起の内側で前記いずれかの他方から突出した棘状突起を含むことを特徴とする請求項１に記載の付属品取り付け装置。
【請求項３】
前記複数の突起の一部は、プラスチック成形品からなる付属品本体、または保持板の射出成形時に形成されたゲート跡であることを特徴とする請求項１または２に記載の付属品取り付け装置。
【請求項４】
前記機器本体がカメラであり、前記付属品がカメラを遠隔操作するためのリモコン装置であることを特徴とする請求項１〜３のいずれかに記載の付属品取り付け装置。
【発明の詳細な説明】
【０００１】
【発明の属する技術分野】
本発明は、カメラなどの携帯して使用される機器本体のストラップに付属品を装着するための付属品取り付け装置に関する。
【０００２】
【従来の技術】
銀塩カメラやデジタルカメラのような携帯して使用される機器では、機器本体の携帯時に使用されるストラップに、リモコン装置などの付属品を着脱自在に取り付けておき、付属品に設けられた保持板を開放することによって付属品をストラップから取り外すようにしたものがある。このような付属品は、保持板に設けたフック爪を、付属品本体に設けた係止部に係合させ、ストラップを付属品本体と保持板との間で挟持することによりストラップに固定される。
【０００３】
【発明が解決しようとする課題】
上記のような付属品取り付け装置では、ストラップの断面寸法が付属品本体と保持板との隙間よりも若干小さい場合には、付属品本体をストラップに固定することができない。また、ストラップの断面寸法が付属品本体と保持板との隙間よりも若干大きい場合には、フック爪と係止部との係合が不完全になり、この係合が解除されて付属品が落下する可能性がある。このため、従来の付属品取り付け装置には、ストラップの断面寸法に応じて装置の設計をしなければならないという問題があった。
【０００４】
本発明は、ストラップの断面寸法によらず安定した挟持力を確保することができる付属品取り付け装置を提供することを目的とする。
【０００５】
【課題を解決するための手段】
上記目的を達成するために、本発明は、付属品本体に保持板を回動自在に軸着し、前記保持板に一体で設けたフック爪を、前記付属品本体に設けた係止部に係合させ、機器本体に連結されたストラップを付属品本体と保持板との間で挟持することにより、ストラップに付属品が固定されるようにした付属品取り付け装置において、前記付属品本体の表面、または保持板の内面のうち少なくともいずれかに、ストラップをその挟持方向に屈曲させる複数の突起を設けたことを特徴とする。
【０００６】
なお、前記複数の突起は、付属品本体の表面、または保持板の内面のうちいずれか一方の、ストラップの挟持範囲の両端部近傍に設けられ、ストラップの幅方向を横切るように突出した段差状突起と、この段差状突起の内側で前記いずれかの他方から突出した棘状突起を含む。また、前記複数の突起の一部は、プラスチック成形品からなる付属品本体、または保持板の射出成形時に形成されたゲート跡であることが好ましい。さらに、前記機器本体がカメラであり、前記付属品がカメラを遠隔操作するためのリモコン装置であることが好ましい。
【０００７】
【発明の実施の形態】
図１は、本発明を実施したカメラのリモコン装置を、ストラップに装着した状態を示したものである。付属品としてのリモコン装置２は、プラスチック成形品からなり、ストラップ３に固定される台座４と、台座４から取り外して使用されるリモコン本体５とからなる。リモコン本体５は、矢印方向にスライド操作させることにより台座４から着脱可能となっており、カメラにシャッタレリーズなどの操作信号を送信するための押ボタン６とＬＥＤ７とを備えている。台座４のリモコン本体５を収納する側と反対側の面には、保持板８が軸着されている。この保持板８と台座４との間にストラップ３を通して、保持板８のフック爪９（図２参照）を台座４の係止部１０（図２参照）に係合させることで、リモコン装置２がストラップ３に固定される。
【０００８】
図２に、台座４と保持板８の分解斜視図を示す。台座４には一対の軸受け突起１１が一体に設けられ、軸受け突起１１には軸受け穴１２が形成されている。保持板８には一対の回転軸１３が設けられている。保持板８は、回転軸１３を軸受け穴１２に嵌め込むことにより、台座４に回動自在に軸着される。
【０００９】
保持板８の両端部は、それぞれ対面する軸受け突起１１の端面と略同径の太径部１４となっている。一方、これらの太径部１４で挟まれた保持板８の中間部は、太径部１４よりも径が小さい細径部１５となっている。台座４には、軸受け面１６と凹部１７とが設けられている。軸受け面１６は、細径部１５の外周面に接して保持板８の回転を支持する。凹部１７は、軸受け面１６の両端側にそれぞれ形成され、台座４に保持板８を軸着する際に太径部１４が入り込む逃げとなっている。このような構造にすると、回転軸１３を突出させた部分の保持板８の端面と、軸受け突起１１の端面との間に段差が生じることがないので、製品の美観を損ねることがない。また、台座４の厚みが増加することがなく、リモコン本体２の収納スペースが制約を受けることもない。さらに、台座４の機械的強度と保持板８の軸着強度とを十分に保つことができる。
【００１０】
保持板８には、指掛け片１８が一体に設けられている。リモコン装置２をストラップ３から取り外す際には、この指掛け片１８を引き上げてフック爪９と係止部１０との係合を解除する。
【００１１】
台座４の表面（ストラップ３と接触する面）には、一対の段差状突起１９および棘状突起２０が設けられている。段差状突起１９は、ストラップ３の挟持範囲の両端部近傍に設けられ、ストラップ３の幅方向を横切るように突出している。棘状突起２０は、ストラップ３の挟持範囲の中央部に設けられ、台座４の射出成形時に形成されたゲート跡からなる。一方、保持板８の内面（ストラップ３と接触する面）の両端には、一対の棘状突起２１（図３も参照）が設けられている。
【００１２】
ストラップ３を挟持した状態における保持板８と台座４の断面を示す図３において、ストラップ３は、段差状突起１９および棘状突起２０、２１によりその挟持方向に屈曲して挟持される。段差状突起１９は、保持板８の両端部から一定の間隔を離して配置されており、ストラップ３を山型に屈曲させる。棘状突起２０は、ストラップ３の挟持範囲の中央部でストラップ３を山型に屈曲させる。棘状突起２１は、段差状突起１９により山型に屈曲したストラップ３を直ちに谷型に屈曲させる。このため、ストラップ３の屈曲のピッチが小さくなり、台座４と保持板８との隙間よりも若干細いストラップ３を用いた場合でも、ストラップ３が棘状突起２１に食い込んで確実に挟持される。また、棘状突起２０、２１の寸法が比較的小さく、ストラップ３がこれらの棘状突起２０、２１に食い込むので、台座４と保持板８との隙間よりも断面寸法が若干大きいストラップ３を用いた場合でも、フック爪９と係止部１０との係合が不完全になることがない。
【００１３】
なお、保持板８の内面の棘状突起２０に対応した位置に棘状突起を形成してもよい。但し、この場合は突起の高さを棘状突起２１よりも低くする方がよい。また、上記実施形態では、台座４の表面に段差状突起１９および棘状突起２０、保持板８の内面に棘状突起２１をそれぞれ設けたが、図４に示すように、台座３２の表面に棘状突起３６、保持板３３の内面に段差状突起３４および棘状突起３５をそれぞれ設けてもよい。
【００１４】
上記実施形態では、保持板に回転軸、台座に軸受け穴が設けられているが、逆に保持板に軸受け穴、台座に固定軸が設けられた場合についても本発明を適用することができる。さらに、上記実施形態では、ストラップに装着されるカメラのリモコン装置を例に挙げて説明したが、本発明はこれに限定されない。
【００１５】
【発明の効果】
以上のように、本発明の付属品取り付け装置によれば、付属品本体の表面、または保持板の内面のうち少なくともいずれかに、ストラップをその挟持方向に屈曲させる複数の突起を設けたので、ストラップの断面寸法によらず安定した挟持力を確保することができる。また、複数の突起の一部は、プラスチック成形品からなる付属品本体、または保持板の射出成形時に形成されたゲート跡からなるため、射出成形後のゲート除去などの処理を省略することができる。
【図面の簡単な説明】
【図１】本発明を実施したカメラのリモコン装置をストラップに装着した状態を示す図である。
【図２】保持板と台座の分解斜視図である。
【図３】ストラップを挟持した状態における保持板と台座の断面図である。
【図４】本発明の別の実施形態を示す図である。
【符号の説明】
２　リモコン装置（付属品）
３　ストラップ
４　台座
８　保持板
９　フック爪
１０　係止部
１２　軸受け穴
１３　回転軸
１９　段差状突起
２０、２１　棘状突起
【図１】
2004037532.tif 000003
【図２】
2004037532.tif 000004
【図３】
2004037532.tif 000005
【図４】
2004037532.tif 000006